(57)【要約】      （修正有）【課題】薬の服用・使用等及び疾病の予防・健康維持のための身体運動・習慣等の時期・数量・種類等を携帯端末機等のアラームで知らせることにより、飲み忘れや飲み誤り等を防止するシステムに関する。【解決手段】患者の薬剤処方箋・薬歴に関する情報等が蓄積された主記憶装置と、携帯電話機やＰＨＳ・ＰＤＡ等の携帯端末機または専用機に接続できる装置と、患者の薬剤処方箋等を基にして組まれた薬あるいは疾病の予防及び健康維持のための身体運動・習慣に関する情報を、その薬の投与・使用あるいは運動・習慣を実行すべき日時・時間等にアラームとして発令し、投与すべき薬の数量・種類や行うべき運動・習慣の内容を表示する機能を持つソフトウェアを作成・記憶することができるデータベースを備えたシステム。【選択図】図１
2007026408.tif 000002
【特許請求の範囲】
【請求項１】
画像表示装置とデータ入力装置を備え、患者の薬剤処方箋・薬歴に関する情報等が蓄積された主記憶装置と、携帯電話機やＰＨＳ・ＰＤＡ等の携帯端末機または専用機に接続できる装置と、この携帯端末機または専用機を作動させて文字・画像・振動・音声・発光ライト等により情報伝達をするアラームソフトウェアを装備したり、すでに組み込まれている同ソフトウェアを書き換え・変更できる装置を備えたことを特徴とするデータベースシステム。
【請求項２】
前記装置において、携帯端末機または専用機等に導線ケーブル・電磁波・赤外線デバイス・光学通信機器・インターネット等の広域回線網を介して接続できる装置を備えたことを特徴とするデータベースシステム。
【請求項３】
医師による薬剤処方箋やデータベース内の個人情報を基にして組まれた薬あるいは疾病の予防、健康維持のための身体運動・習慣に関する情報等を、その薬の投与・使用あるいは運動・習慣を実行すべき日時・時間等にアラームとして発令し、投与すべき薬の数量・種類や行うべき運動・習慣の内容を表示し、携帯端末機または専用機等の所有者に伝達する機能を持つソフトウェアを作成・記憶することができるデータベースシステム。
【請求項４】
医師による薬剤処方箋や予防運動・習慣に関する情報は、携帯端末機または専用機等の発する信号に促されて薬の投与や予防運動・習慣を行う実行者自らが入力することができるほか、医師または薬剤師が入力することができるデーターベースシステム。
【請求項５】
前記請求項３のアラーム機能に付随し、実行者等が携帯端末機または専用機等の特定の操作をすることによって薬の投与・使用あるいは予防運動等の実行が完了したことを記録し、過去にさかのぼってその記録や履歴を参照することができる機能を持つソフトウェアを有するデータベースシステム。
【発明の詳細な説明】
【技術分野】
【０００１】  本発明は薬の服用・使用等及び疾病の予防・健康維持のための身体運動・習慣（以下予防運動・習慣と略記）等をアラームにより知らせることにより、飲み忘れ及び飲み誤り、使用忘れ及び誤り、あるいは予防運動・習慣等を実行することを忘れることや誤ること等を防止するシステムに関するものである。
【背景技術】
【０００２】  従来では、医師により処方された薬の服用・使用等に関する情報、すなわち時間や種類や数量は一般に薬の包装紙上に書かれ、服用・使用の際にその包装紙を持参していなければ確認が取れず、飲み忘れや種類・数量の取り違えを防止することは困難であった。また、疾病の予防・健康維持のための身体運動・習慣の内容は一般に医師の口伝えで伝達されるため、これに関しても内容を忘れたり、誤った内容を実行してしまうことがあった。
【発明の開示】
【発明が解決しようとする課題】
【０００３】  これらの誤飲・誤用事故の頻度は薬の種類・数量と服用・使用等の時間の複雑さによってさらに増加する。誤飲・誤用は薬等による治療の効果を低減させるものであって、その防止にこれまでも様々な工夫が重ねられてきたが、その方法は携帯が困難であったり、患者や薬剤師に複雑あるいは過大な負担を強いることが多く、使用法が容易でかつ有効な防止方法はいまだに確立されていない。
【課題を解決するための手段】
【０００４】  本発明は薬の服用・使用等及び予防運動・習慣等を実行すべき者もしくはそれを指導する者が、所持する携帯端末機または専用機（以下携帯端末機と略記）等にその服用・使用すべき時間が来た時に、文字・画像・振動・音声・発光ライト等で知らせるものである。【０００５】  同時に投与すべき薬の数量・種類や行うべき運動・習慣の内容をアラームソフトウェアにより表示するものである。またその表示内容はデータベースシステム側で書き換えることができ、接続装置を用いて携帯端末等に接続し、このアラームソフトウェアを装備あるいは更新することができる。【０００６】  さらに、このアラームソフトウェアには服用・使用あるいは実行等が完了したことを記録し、過去にさかのぼって記録を参照できる機能が搭載されているものである。
【発明の効果】
【０００７】  本発明を用いると、薬の服用・使用及び予防運動・習慣等を実行すべき時期が来たときに携帯端末機が自動的に知らせることによって、忘れることなく服用・使用あるいは実行するとことができる。これは特に飲み忘れ等の多い外出・遠出の際、例えば旅行の最中などに非常に有効なアラームとなる。【０００８】  その際、服用・使用あるいは運動を行う際の数量・種類や内容について、携帯端末機の表示画面上にその詳細を表示することで、服用・使用者が確認でき、取り間違えを防止することができる。【０００９】  さらに、所持者がアラームによる知らせを受けた後、携帯端末機の操作ボタンを操作することによって薬を服用・使用したことを、あるいは予防のための運動・習慣を行ったことを記録することができ、後になって服用・使用者等がいつ何を服用・使用したか、忘れてはいないか等を確認することができる。【００１０】  加えて、この履歴記録機能を用いることによって、通院の際等に医師や薬剤師及び指導者等がその履歴情報を確認でき、より適切な診断・対処・処方を行うことができるようになる。【００１１】  このように、いつも肌身に携帯・所持する携帯端末機を用いた近代の著しい情報処理機能を有効的に活用することにより、今までなかなか解決しなかった薬及び治療の服用・使用及び予防等の誤り・忘れ等を減らすことができ、より安定した処方・治療等を継続して行い、早期回復を促すことに本発明は貢献するものである。
【発明を実施するための最良の形態】
【００１２】  以下、本発明の実施の形態を図面に基づき、詳細に説明する。【００１３】  図１は本発明を実施するハードウェア構成を表すものである。【００１４】  患者の薬の処方・予防その他に関する個人情報が格納されている主記憶装置３に、キーボードやマウスやペン型入力機等の入力装置２と、個人情報が記された用紙等を読み取る読取装置１と、ディスプレイ等の表示装置４と、携帯端末機に接続する装置５と、インターネット等の広域回線網に接続できるサーバー型装置６が接続される。【００１５】  図２は本発明の主記憶装置３に接続されている表示装置４を表している。【００１６】  ここで、図２の表示画面の詳細を説明する。表示項目のア）では、患者の薬剤処方に関する情報あるいは予め書き込み欄が決められた専用の書き込み用紙を読み取り、主記憶装置のデータベースに記憶する。【００１７】  表示項目イ）では、各患者毎に薬等の服用・使用及び予防運動・習慣等に関するアラームソフトウェア等を作成したり、その変更及び削除をすることができる。【００１８】  表示項目ウ）では、履歴を参照することができ、患者が正確に薬等を服用・使用したかどうかを見ることができる。この機能を用いて、今後のより適切で効果のある対処・治療・処方を行うことができる。【００１９】  表示項目エ）では、患者の携帯端末機にすでに装備されているアラームソフトウェアを検索したり、他の患者のソフトウェアを参照するために検索したりすることができる。【００２０】  表示項目オ）では、主記憶装置３から携帯端末機接続装置５を介して、携帯端末機に予め作成されたアラームソフトウェアを装備することができる。また、インターネット等を介するサーバー６を介して、同様に携帯端末機に装備することができる。【００２１】  次に携帯端末機の画面表示を表す図３を説明する。【００２２】  図３の表示項目カ）では、携帯端末機から接続装置５を介して主記憶装置３に接続し、アラームソフトウェアの装備を要求する機能である。主記憶装置を操作しなくても、端末機から能動的にアラームソフトを取得することができる。【００２３】  表示項目キ）では、所持者等がアラームソフトウェアによる端末機等の動作を設定機能により制限できる。例えば、会議中や不在時等において、携帯端末機の所持者側の都合によりアラーム機能を作動させることが困難な時にこの機能を使用する。【００２４】  表示項目ク）では、端末機等の所持者が過去の履歴を参照することができる。薬を飲んだかどうかを忘れた際等に使う機能である。【００２５】  表示項目ケ）では、上記項目カ）〜ク）に含まれないその他の機能を操作する際に使用する。
【図面の簡単な説明】
【００２６】
【図１】  本発明の全体的な構成を示す図である。
【図２】  主記憶装３の表示画面と表示項目の図である。
【図３】  携帯端末機の表示画面と表示項目の図である。
【符号の説明】
【００２７】  １  薬剤情報読取装置
２  入力装置
３  主記憶装置
４  表示装置
５  接続装置
６  インターネット・ｗｅｂサーバー
７  携帯端末機
【図１】
2007026408.tif 000003
【図２】
2007026408.tif 000004
【図３】
2007026408.tif 000005